【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
第１の方向に配置された第１の複数の導体と、前記第１の方向に対して交叉する第２の方向に配置された第２の複数の導体と、前記第１の複数の導体と前記第２の複数の導体との間に配置された所定の抵抗特性を有する感圧材とを有する検出センサと、
前記第１の複数の導体に所定の信号を供給するための信号供給回路と、
前記第２の複数の導体から信号検出を行うための信号検出回路と、
を備え、
前記検出センサは、指示体が前記検出センサに接触した際に印加される圧力が所定の圧力よりも小さい場合には前記第１の複数の導体と前記第２の複数の導体との間の静電容量の変化に応じた信号を前記信号検出回路に供給し、前記指示体が前記検出センサに対して前記所定の圧力を超えた圧力を印加した場合には前記指示体からの前記圧力の前記感圧材への印加による前記第１の複数の導体と前記第２の複数の導体との間の抵抗特性の変化に応じた信号を前記信号検出回路に供給することで、
前記指示体による指示位置及び圧力を検知可能とした指示体検出装置。
【請求項２】
請求項１に記載の指示体検出装置において、
前記抵抗特性は、前記感圧材と前記第１の複数の導体または前記第２の複数の導体との間の係合状態に依存して変化する、
ことを特徴とする指示体検出装置。
指示体検出装置。
【請求項３】
請求項２に記載の指示体検出装置において、
前記感圧材は、少なくとも第１及び第２の部材を有し、前記指示体からの前記圧力に対応して前記第１または第２の部材が前記第１の複数の導体または前記第２の複数の導体と係合する、
ことを特徴とする指示体検出装置。
【請求項４】
請求項２に記載の指示体検出装置において、
前記感圧材は、少なくとも第１及び第２の部材を有し、
前記指示体からの前記圧力に対応して前記第１の部材と第２の部材とが係合する、
ことを特徴とする指示体検出装置。
【請求項５】
請求項１に記載の指示体検出装置において、
前記感圧材は、複数の導電粒子を含み、前記指示体からの前記圧力の印加に応じて前記複数の導電粒子が結合することで前記第１の複数の導体と前記第２の複数の導体との間の抵抗特性が変化する、
ことを特徴とする指示体検出装置。
【請求項６】
請求項１に記載の指示体検出装置において、
前記第１の複数の導体と、前記第２の複数の導体の各々は、略平板状の基材の一方の面に配置されるとともに、前記感圧材は、少なくとも前記第１の複数の導体と前記第２の複数の導体の交点領域に設けられており、前記指示体からの前記圧力が印加されていない場合には前記第１の複数の導体と、前記第２の複数の導体の間を絶縁するための絶縁材として配置されている、
ことを特徴とする指示体検出装置。
【請求項７】
請求項１〜請求項５のいずれかに記載の指示体検出装置において、
前記感圧材は、少なくとも前記第１の複数の導体または前記第２の複数の導体のいずれか一方に沿って形成される、
ことを特徴とする指示体検出装置。
【請求項８】
請求項１〜請求項７のいずれかに記載の指示体検出装置において、
前記検出センサは、透過性を有する略平板状の基材と、透過性を有する前記感圧材とを有しており、
前記第１の方向に配置された複数の導体、前記第２の方向に配置された複数の導体及び前記感圧材は、前記基材に設けられ、
前記第１の方向に配置された複数の導体と、前記第２の方向に配置された複数の導体によって二次元的あるいは三次元的に形成された開口領域に光学特性を均質化するための透過性を有する部材を配置した、
ことを特徴とする指示体検出装置。
【請求項９】
請求項８に記載の指示体検出装置において、
前記光学特性を均質化するための透過性を有する部材を前記感圧材と同一の材料で構成した、
ことを特徴とする指示体検出装置。
【請求項１０】
請求項１〜請求項８のいずれかに記載の指示体検出装置において、
前記信号供給回路から前記第１の複数の導体に供給される前記所定の信号は電圧信号として供給され、前記第２の複数の導体からは電流変化として信号を検出し、前記信号検出回路は、前記電流変化を電圧に変換する電流／電圧変換回路を備える
ことを特徴とする指示体検出装置。
【請求項１１】
請求項１０に記載の指示体検出装置において、
前記電流／電圧変換回路は、前記第１の複数の導体及び前記第２の複数の導体との間の静電容量の変化に応じた信号を得る第１の検出モードと、前記信号検出回路が前記検出センサに前記所定の圧力を超える圧力が印加されることで前記第１の複数の導体及び前記第２の複数の導体との間の抵抗特性の変化に応じた信号を得る第２の検出モードと、を備えた、
ことを特徴とする指示体検出装置。
指示体検出装置。
【請求項１２】
請求項１０または１１に記載の指示体検出装置において、
前記電流／電圧変換回路は、前記検出センサと前記信号検出回路との間に抵抗と、コンデンサと、前記抵抗と前記コンデンサとを選択的に切り替える切替回路とから構成され、
前記切替回路は、前記第１の検出モードのときは、前記検出センサと前記コンデンサとを接続し、前記第２の検出モードのときは前記検出センサと前記抵抗とを接続する、
ことを特徴とする指示体検出装置。
【請求項１３】
請求項１〜請求項１２のいずれかに記載の指示体検出装置において、
前記信号供給回路から前記第１の複数の導体のそれぞれに供給される前記信号は、弁別可能な信号である、
ことを特徴とする指示体検出装置。
【請求項１４】
請求項１３に記載の指示体検出装置において、
前記信号供給回路から前記第１の複数の導体に供給される複数の符号は、互いに直交関係を有する符号である、
ことを特徴とする指示体検出装置。
【請求項１５】
請求項１３に記載の指示体検出装置において、
前記信号供給回路から前記第１の複数の導体に供給される前記符号はアダマール符号であり、
前記入力された前記複数の符号をアダマール行列としたときに、前記アダマール行列において全て「１」となるｎ番目のチップを前記信号検出回路における信号の補正を行うためのキャリブレーション信号として用いる、
ことを特徴とする指示体検出装置。
【請求項１６】
外部から供給された所定の信号に応じて指示体による指示位置及び圧力に応じた信号を得るための検出センサであって、
第１の方向に配置され、前記外部からの前記所定の信号が供給される第１の複数の導体と、
前記第１の方向に対して交叉する第２の方向に配置された第２の複数の導体と、
前記第１の複数の導体と前記第２の複数の導体との間に配置され、所定の抵抗特性を有する感圧材と、
を備え、
前記指示体が前記検出センサに接触した際に印加される圧力が所定の圧力よりも小さい場合には静電容量の変化に応じた信号を前記第２の複数の導体から出力し、前記指示体が前記所定の圧力を超えた圧力を前記検出センサに対し印加した場合には抵抗特性の変化に応じた信号を前記第２の複数の導体から出力する、
ことを特徴とする検出センサ。
【手続補正２】
【補正対象書類名】明細書
【補正対象項目名】０００８
【補正方法】変更
【補正の内容】
【０００８】
この場合に、図６０（Ｂ）の図６０（Ａ）の断面図に示すように、電極シート１００１に形成された上部電極Ｅｘ上に第１の抵抗体層１００２が形成されて、上部電極Ｅｘと第１の抵抗体１００２とが電気的に接続される。また、電極シート１００４に形成された下部電極Ｅｙ上に第２の抵抗体１００３が形成されて、下部電極Ｅｙと第２の抵抗体１００３とが電気的に接続される。そして、第１の抵抗体層１００２と、第２の抵抗体層１００３との間には、僅かな空隙ＡＧが形成されるようにする。
【手続補正３】
【補正対象書類名】明細書
【補正対象項目名】００１８
【補正方法】変更
【補正の内容】
【００１８】
上記の課題を解決するために、この発明は、
第１の方向に配置された第１の複数の導体と、前記第１の方向に対して交叉する第２の方向に配置された第２の複数の導体と、前記第１の複数の導体と前記第２の複数の導体との間に配置された所定の抵抗特性を有する感圧材とを有する検出センサと、
前記第１の複数の導体に所定の信号を供給するための信号供給回路と、
前記第２の複数の導体から信号検出を行うための信号検出回路と、
を備え、
前記検出センサは、指示体が前記検出センサに接触した際に印加される圧力が所定の圧力よりも小さい場合には前記第１の複数の導体と前記第２の複数の導体との間の静電容量の変化に応じた信号を前記信号検出回路に供給し、前記指示体が前記検出センサに対して前記所定の圧力を超えた圧力を印加した場合には前記指示体からの前記圧力の前記感圧材への印加による前記第１の複数の導体と前記第２の複数の導体との間の抵抗特性の変化に応じた信号を前記信号検出回路に供給することで、
前記指示体による指示位置及び圧力を検知可能とした指示体検出装置を提供する。
【手続補正４】
【補正対象書類名】明細書
【補正対象項目名】００８６
【補正方法】変更
【補正の内容】
【００８６】
〔第２の構成例：図１０〕
この第２の構成例は、キャパシティブタッチ検出モードと、レジスティブタッチ検出モードの２つのモードに共用できるＩ／Ｖ変換回路の一例である。すなわち、キャパシティブタッチ検出モードと、レジスティブタッチ検出モードとに応じた切り替えを不要とした例である。
【手続補正５】
【補正対象書類名】明細書
【補正対象項目名】００８８
【補正方法】変更
【補正の内容】
【００８８】
この場合、図５に示したように、検出用コンデンサ５２には、直流バイアス用抵抗５３が接続されている。したがって、抵抗膜方式の検出用抵抗５４が検出用コンデンサ５２の直流バイアス用抵抗５３と等しい抵抗値であれば、第１の構成例のようなモード切り替えスイッチ回路５５は不要となる。すなわち、この場合、検出用抵抗５４の抵抗値Ｒが、検出用コンデンサ５２の静電容量をＣとしたとき、
Ｒ≒１／ｊωＣ
を満足する場合に、Ｉ／Ｖ変換回路は、この第２の構成例とすることができる。
【手続補正６】
【補正対象書類名】明細書
【補正対象項目名】０１１１
【補正方法】変更
【補正の内容】
【０１１１】
送信導体選択回路２２は、図１１に示すように、１６個の送信ブロックＴＢ１〜ＴＢ１６のそれぞれに対応する１６個のスイッチ回路２２０１〜２２１６からなる。スイッチ回路２２０１〜２２１６のそれぞれは、１入力４出力のスイッチ回路である。これらのスイッチ回路２２０１〜２２１６のそれぞれには、対応する拡散符号生成回路２１０１〜２１１６のそれぞれからの拡散符号Ｃ１，Ｃ２，・・・，Ｃ１６が入力される。そして、スイッチ回路２２０１〜２２１６のそれぞれは、対応する送信ブロックＴＢ１〜ＴＢ１６のそれぞれを構成する４本の送信導体１１Ｙのうちの１本の送信導体を選択的に前段の拡散符号生成回路２１０１〜２１１６に接続して、拡散符号を供給する。
【手続補正７】
【補正対象書類名】明細書
【補正対象項目名】０１１２
【補正方法】変更
【補正の内容】
【０１１２】
スイッチ回路２２０１は、送信ブロックＴＢ１に対応するものであり、当該スイッチ回路２２０１に入力される拡散符号Ｃ１を供給する送信導体として、送信ブロックＴＢ１の４本の送信導体１１Ｙ１，１１Ｙ２，１１Ｙ３，１１Ｙ４を１本ずつ順次に切り替える。また、スイッチ回路２２０２は、送信ブロックＴＢ２に対応するものであり、当該スイッチ回路２２０２に入力される拡散符号Ｃ２を供給する送信導体として、送信ブロックＴＢ２の４本の送信導体１１Ｙ５，１１Ｙ６，１１Ｙ７，１１Ｙ８を１本ずつ順次に切り替える。その他のスイッチ回路２２０３〜２２１６のそれぞれについても同様であり、それぞれに入力される拡散符号を供給する送信導体として、対応する送信ブロックＴＢ３〜ＴＢ１６のそれぞれ内の４本の送信導体を１本ずつ順次に切り替える。
【手続補正８】
【補正対象書類名】明細書
【補正対象項目名】０１１７
【補正方法】変更
【補正の内容】
【０１１７】
そして、各送信ブロックＴＢ１〜ＴＢ１６内の最小インデックス番号の送信導体Ｙ１，Ｙ５，…，Ｙ５７およびＹ６１がスイッチ回路２２０１〜２２１６により選択され、拡散符号Ｃ１〜Ｃ１６の供給が行われた後は、再度、各送信ブロック内の最大インデックス番号の送信導体１１Ｙ４，１１Ｙ８，・・・，１１Ｙ６０，１１Ｙ６４がスイッチ回路２２０１〜２２１６により選択される。上記切り替え動作が各送信ブロック内で繰り返されることで、すべての送信導体１１Ｙに対し拡散符号Ｃ１〜Ｃ１６が供給される。
【手続補正９】
【補正対象書類名】明細書
【補正対象項目名】０１２８
【補正方法】変更
【補正の内容】
【０１２８】
そして、受信導体選択回路３１は、図１４に示すように、１６個の検出ブロックＤＢ１〜ＤＢ１６に対応する１６個のスイッチ回路３１０１〜３１１６を備えて構成される。スイッチ回路３１０１〜３１１６のそれぞれは、８入力１出力のスイッチ回路である。これらのスイッチ回路３１０１〜３１１６のそれぞれには、対応する検出ブロックＤＢ１〜ＤＢ１６のそれぞれの８本の受信導体１２Ｘからの受信信号が入力される。そして、スイッチ回路３１０１〜３１１６のそれぞれは、対応する検出ブロックＤＢ１〜ＤＢ１６のそれぞれの８本の受信導体１２Ｘのうちの１本を選択して、後段の増幅回路３２のＩ／Ｖ変換回路３２０１〜３２１６に接続して、受信信号を供給する。
【手続補正１０】
【補正対象書類名】明細書
【補正対象項目名】０１２９
【補正方法】変更
【補正の内容】
【０１２９】
具体的には、スイッチ回路３１０１は、検出ブロックＤＢ１に対応するものであり、当該検出ブロックＤＢ１の８本の受信導体１２Ｘ１，１２Ｘ２，・・・，１２Ｘ８を１本ずつ順次に切り替える。また、スイッチ回路３１０２は、検出ブロックＤＢ２に対応するものであり、当該検出ブロックＤＢ２の８本の受信導体１２Ｘ９，１２Ｘ１０，・・・，１２Ｘ１６を１本ずつ順次に切り替える。その他のスイッチ回路３１０３〜３１１６のそれぞれについても同様であり、対応する検出ブロックＤＢ３〜ＤＢ１６のそれぞれ内の８本の受信導体を１本ずつ順次に切り替える。
【手続補正１１】
【補正対象書類名】明細書
【補正対象項目名】０１３１
【補正方法】変更
【補正の内容】
【０１３１】
スイッチ回路３１０１〜３１１６は、この切替制御信号ＳＷ３により、クロック信号ＣＬＫの１６×４周期分毎に、選択する受信導体１２Ｘを切り替えられる。すなわち、スイッチ回路３１０１〜３１１６のそれぞれは、全ての送信導体１１Ｙに１６種の拡散符号が供給し終わる毎に、対応する検出ブロックＤＢ１〜ＤＢ１６の受信導体を、次の受信導体１２Ｘに切り替える。
【手続補正１２】
【補正対象書類名】明細書
【補正対象項目名】０１３５
【補正方法】変更
【補正の内容】
【０１３５】
そして、各検出ブロックＤＢ１〜ＤＢ１６内の最大インデックス番号の受信導体１２Ｘ８，１２Ｘ１６，…，１２Ｘ１２０および１２Ｘ１２８がスイッチ回路２２０１〜２２１６により選択され、拡散符号Ｃ１〜Ｃ１６の供給が行なわれた後は、再度、各検出ブロック内の最小インデックス番号の受信導体１２Ｘ１，１２Ｘ９，・・・，１２Ｘ１２１がスイッチ回路３１０１〜３１１６により選択される。上記切り替え動作が各検出ブロック内で繰り返されることで、すべての受信導体１２Ｘからの受信信号を得ることができる。
【手続補正１３】
【補正対象書類名】明細書
【補正対象項目名】０１３６
【補正方法】変更
【補正の内容】
【０１３６】
以上のようにして、受信導体選択回路３１のスイッチ回路３１０１〜３１１６のそれぞれから得られる検出ブロックＤＢ１〜ＤＢ１６内の１本ずつの受信導体１２Ｘからの受信信号（電流信号）が、出力信号Ｓ１，Ｓ２，・・・，Ｓ１６として、増幅回路３２に出力される。
【手続補正１４】
【補正対象書類名】明細書
【補正対象項目名】０１３８
【補正方法】変更
【補正の内容】
【０１３８】
〔増幅回路３２の構成例：図１４〕
増幅回路３２は、検出ブロックＤＢ１〜ＤＢ１６のそれぞれに対応する１６個のＩ／Ｖ変換回路３２０１，３２０２，・・・，３２１６からなる。
【手続補正１５】
【補正対象書類名】明細書
【補正対象項目名】０１４１
【補正方法】変更
【補正の内容】
【０１４１】
各Ｉ／Ｖ変換回路３２０１〜３２１６は、受信導体選択回路３１のスイッチ回路３１０１〜３１１６のそれぞれから、各検出ブロックＤＢ１〜ＤＢ１６の出力信号（電流信号）Ｓ１、Ｓ２、・・・、Ｓ１６を電圧信号に変換し、増幅して出力する。このＩ／Ｖ変換回路３２０１〜３２１６において電圧信号に変換された出力信号Ｓ１、Ｓ２、・・・、Ｓ１６は、Ａ／Ｄ変換回路３３に入力される。
【手続補正１６】
【補正対象書類名】明細書
【補正対象項目名】０１６３
【補正方法】変更
【補正の内容】
【０１６３】
すなわち、１６個の拡散符号Ｃ１〜Ｃ１６は、１６個の検出ブロックＤＢ１〜ＤＢ１６のそれぞれ１本ずつの受信導体から出力信号を得るクロック信号ＣＬＫの１６×４周期の期間において、送信導体１１Ｙの全てに供給される。そして、１６個の検出ブロックＤＢ１〜ＤＢ１６のそれぞれで選択される１本ずつの受信導体が、クロック信号ＣＬＫの１６×４周期毎に切り替えられることにより、拡散符号Ｃ１〜Ｃ１６は、センサ部１００の全ての送信導体１１Ｙに供給される。そして、以上の動作が繰り返される。
【手続補正１７】
【補正対象書類名】明細書
【補正対象項目名】０１６４
【補正方法】変更
【補正の内容】
【０１６４】
一方、受信導体選択回路３１では、スイッチ回路３１０１〜３１１６のそれぞれが、制御回路４０からの切替制御信号ＳＷ３（図１７（Ａ）参照）により、クロック信号ＣＬＫの１６×４周期毎に切り替えられる。図１７（Ａ）に示すように、このスイッチ回路３１０１〜３１１６の切り替えにより、クロック信号ＣＬＫの１６×４周期の期間において、１６個の検出ブロックＤＢ１〜ＤＢ１６のそれぞれ１本ずつの受信導体から受信信号が得られる。
【手続補正１８】
【補正対象書類名】明細書
【補正対象項目名】０１８１
【補正方法】変更
【補正の内容】
【０１８１】
そして、相関器３５ｂ１〜３５ｂ１６のそれぞれにおいて、シフトレジスタ３５ａに保持された出力信号Ｓ１のデジタルサンプルデータと、相関値演算用符号Ｃ１′〜Ｃ１６′との相関演算がなされると、出力信号Ｓ１が得られる受信導体上に指示体１８が存在しない場合には一定の値の相関値が得られ、また、出力信号Ｓ１が得られる受信導体上に指示体が存在する場合には、この一定の値の相関値とは異なる値の相関値が得られる。
【手続補正１９】
【補正対象書類名】明細書
【補正対象項目名】０１８３
【補正方法】変更
【補正の内容】
【０１８３】
図１１に示したように、送信ブロックＴＢ１〜ＴＢ１６のそれぞれが、４本ずつの送信導体１１Ｙで構成され、送信ブロックＴＢ１〜ＴＢ１６の各１本の送信導体１１Ｙがスイッチ回路２２０１〜２２１６で切り替えられるので、６４本の送信導体群１１は、拡散符号Ｃ１〜Ｃ１６が同期して同時に供給される１６本の送信導体１１Ｙの組の４組で構成される。
【手続補正２０】
【補正対象書類名】明細書
【補正対象項目名】０１８９
【補正方法】変更
【補正の内容】
【０１８９】
図１９（Ｂ）は、センサ部１００の全クロスポイントのサーチのスタートタイミングを示すスタート信号ＳＴである。制御回路４０は、このスタート信号ＳＴを、センサ部１００の全クロスポイントについての指示体検出が終了するまでの区間に相当する周期で、かつ、クロック信号ＣＬＫに同期して、繰り返し発生させる。すなわち、全クロスポイントについてのサーチに要する時間は、一の送信導体１１Ｙに対し拡散符号を供給するのに要する時間（クロック信号ＣＬＫの１６周期分）と、各送信ブロックＴＢ１〜ＴＢ１６を構成する送信導体の数と、各検出ブロックＤＢ１〜ＤＢ１６を構成する受信導体の数を乗算した値に相当するので、制御回路４０は、スタート信号ＳＴをクロック信号ＣＬＫの１６×４×８周期毎に繰り返し発生することになる。
【手続補正２１】
【補正対象書類名】明細書
【補正対象項目名】０１９５
【補正方法】変更
【補正の内容】
【０１９５】
そして、制御回路４０は、スタート信号ＳＴよりもクロック信号ＣＬＫの１周期分遅れたタイミングで送信ロード信号Ｓｔｌｏａｄ（図１９（Ｃ）参照）を発生し、この送信ロード信号Ｓｔｌｏａｄの発生タイミングに同期して拡散符号の１周期毎の切替制御信号ＳＷ２を生成し、送信導体選択回路２２に供給する。また、制御回路４０は、この送信ロード信号Ｓｔｌｏａｄの発生タイミングに同期して、スタート信号ＳＴの発生タイミングを基準にした拡散符号の４周期毎の切替制御信号ＳＷ３を生成し、受信導体選択回路３１に供給する。
【手続補正２２】
【補正対象書類名】明細書
【補正対象項目名】０２０７
【補正方法】変更
【補正の内容】
【０２０７】
そして、Ａ／Ｄ変換器３３０１〜３３１６のそれぞれから出力されるデジタルサンプルデータは、対応する相関値算出回路３５０１〜３５１６のそれぞれに入力される。このデジタルサンプルデータは、前述したように、相関値算出回路３５０１〜３５１６のそれぞれのシフトレジスタ３５ａの初段のＤ−フリップフロップ回路３５ａ１６から順に入力される（図１９（Ｆ）参照）。
【手続補正２３】
【補正対象書類名】明細書
【補正対象項目名】０２２０
【補正方法】変更
【補正の内容】
【０２２０】
そして、例えば図２２（Ａ）に示すように、拡散符号Ｃ３が供給される送信導体１１Ｙ９と受信導体１２Ｘ１２４とのクロスポイントに指示体１８が、例えば接触したときには、前述したように指示体１８と受信導体１２Ｘ１２４との間の静電容量分を通じて、送信信号が分流して、受信導体１２Ｘ１２４から得られる電流信号が減少する。
【手続補正２４】
【補正対象書類名】明細書
【補正対象項目名】０２４０
【補正方法】変更
【補正の内容】
【０２４０】
また、制御回路４０は、送信ロード信号Ｓｔｌｏａｄに同期して生成した切替制御信号ＳＷ２により、送信導体選択回路２２のスイッチ回路２２０１〜２２１６を切り替え制御して、送信ブロックＴＢ１〜ＴＢ１６のそれぞれのうちから１本の送信導体１１Ｙを選択させる（ステップＳ１０４）。
【手続補正２５】
【補正対象書類名】明細書
【補正対象項目名】０２８９
【補正方法】変更
【補正の内容】
【０２８９】
次に、制御回路４０は、送信ロード信号Ｓｔｌｏａｄに基づいて生成した切替制御信号ＳＷ３により、受信導体選択回路３１のスイッチ回路３１０１〜３１１６を切り替え制御して、検出ブロックＤＢ１〜ＤＢ１６のそれぞれのうちから１本の受信導体１２Ｘの選択を行う（ステップＳ２０２）。
【手続補正２６】
【補正対象書類名】明細書
【補正対象項目名】０２９０
【補正方法】変更
【補正の内容】
【０２９０】
また、制御回路４０は、送信ロード信号Ｓｔｌｏａｄに基づいて生成した切替制御信号ＳＷ２により、送信導体選択回路２２のスイッチ回路２２０１〜２２１６を切り替え制御して、送信ブロックＴＢ１〜ＴＢ１６のそれぞれのうちから１本の送信導体１１Ｙの選択を行う（ステップＳ２０３）。
【手続補正２７】
【補正対象書類名】明細書
【補正対象項目名】０３０１
【補正方法】変更
【補正の内容】
【０３０１】
位置検出回路３４は、図３０に示すように、演算処理回路３５と、出力回路３６０とで構成される。そして、演算処理回路３５と、出力回路３６０との間に、モード切り替え回路３７を設ける。また、この第３の実施の形態では、出力回路３６０の構成を、第１の実施の形態の位置検出回路３４とは異なる構成とする。なお、その他の構成は、第１の実施の形態と同様である。
【手続補正２８】
【補正対象書類名】明細書
【補正対象項目名】０３０４
【補正方法】変更
【補正の内容】
【０３０４】
モード切り替え回路３７は、検出ブロックＤＢ１〜ＤＢ１６のそれぞれに対応する１６個のスイッチ回路３７０１〜３７１６からなる。これらスイッチ回路３７０１〜３７１６のそれぞれの入力端は、演算処理回路３５の１６個の相関値算出回路３５０１〜３５１６のそれぞれの出力端と接続される。
【手続補正２９】
【補正対象書類名】明細書
【補正対象項目名】０３１９
【補正方法】変更
【補正の内容】
【０３１９】
次に、制御回路４０は、検出モードとしてキャパシティブタッチ検出モードを選択し、切替制御信号ＳＷ１により、Ｉ／Ｖ変換回路３２０１〜３２１６の切り替えスイッチ回路５５を検出用コンデンサ５２側に切り替えると共に、スイッチ回路３７０１〜３７１６をＣ側端に切り替える（ステップＳ３０２）。
【手続補正３０】
【補正対象書類名】明細書
【補正対象項目名】０３２０
【補正方法】変更
【補正の内容】
【０３２０】
次に、制御回路４０は、送信ロード信号Ｓｔｌｏａｄに基づいて生成した切替制御信号ＳＷ３により、受信導体選択回路３１のスイッチ回路３１０１〜３１１６を切り替え制御して、検出ブロックＤＢ１〜ＤＢ１６のそれぞれのうちから１本の受信導体１２Ｘの選択を行う（ステップＳ３０３）。
【手続補正３１】
【補正対象書類名】明細書
【補正対象項目名】０３２１
【補正方法】変更
【補正の内容】
【０３２１】
また、制御回路４０は、送信ロード信号Ｓｔｌｏａｄに基づいて生成した切替制御信号ＳＷ２により、送信導体選択回路２２のスイッチ回路２２０１〜２２１６を切り替え制御して、送信ブロックＴＢ１〜ＴＢ１６のそれぞれのうちから１本の送信導体１１Ｙの選択を行う（ステップＳ３０４）。
【手続補正３２】
【補正対象書類名】明細書
【補正対象項目名】０３２６
【補正方法】変更
【補正の内容】
【０３２６】
ステップＳ３０９で、送信導体１１Ｙの全てに対して送信信号の供給を行うと共に、受信導体１２Ｘの全てから出力信号が得られたと判別したときには、制御回路４０は、次のスタート信号ＳＴを発生し、検出モードをレジスティブタッチ検出モードに切り替える。すなわち、制御回路４０は、切替制御信号ＳＷ１により、Ｉ／Ｖ変換回路３２０１〜３２１６の切り替えスイッチ回路５５を検出用抵抗５４側に切り替えると共に、スイッチ回路３７０１〜３７１６をＲ側端に切り替える（図３２のステップＳ３１１）。
【手続補正３３】
【補正対象書類名】明細書
【補正対象項目名】０３２７
【補正方法】変更
【補正の内容】
【０３２７】
次に、制御回路４０は、送信ロード信号Ｓｔｌｏａｄに基づいて生成した切替制御信号ＳＷ３により、受信導体選択回路３１のスイッチ回路３１０１〜３１１６を切り替え制御して、検出ブロックＤＢ１〜ＤＢ１６のそれぞれのうちから１本の受信導体１２Ｘの選択を行う（ステップＳ３１２）。
【手続補正３４】
【補正対象書類名】明細書
【補正対象項目名】０３２８
【補正方法】変更
【補正の内容】
【０３２８】
また、制御回路４０は、送信ロード信号Ｓｔｌｏａｄに基づいて生成した切替制御信号ＳＷ２により、送信導体選択回路２２のスイッチ回路２２０１〜２２１６を切り替え制御して、送信ブロックＴＢ１〜ＴＢ１６のそれぞれのうちから１本の送信導体１１Ｙの選択を行う（ステップＳ３１３）。
【手続補正３５】
【補正対象書類名】明細書
【補正対象項目名】０４３７
【補正方法】変更
【補正の内容】
【０４３７】
第１の実施の形態と同様に、受信導体選択回路３１が、１６個の検出ブロックＤＢのそれぞれの１本の受信導体１２Ｘが選択されている状態において、１５個の拡散符号Ｃ２〜Ｃ１６は、１５本ずつの送信導体１１Ｙの４組に、１周期分毎に供給される。そして、１６個の検出ブロックＤＢ１〜ＤＢ１６のそれぞれで１本の受信導体１２Ｘが選択されている状態において、拡散符号の４周期分で、１５種の拡散符号Ｃ２〜Ｃ１６が、全ての送信導体１１Ｙに供給される。
【手続補正３６】
【補正対象書類名】明細書
【補正対象項目名】０４６５
【補正方法】変更
【補正の内容】
【０４６５】
このようにすれば、増幅器６３から得られる信号Ｓｍｉｘについての指示体検出出力（相関値）は、指示体検出出力（相関値）Ｉｍと指示体検出出力（相関値）Ｉｍ＋１とを加算したのと等価の指示体検出出力（相関値）となる。すなわち、ペンの指示体１８の指示入力点が、図４３（Ａ）のように、２本の受信導体１２Ｘｍ，１２Ｘｍ＋１のうち、受信導体１２Ｘｍ側に近い場合には、図４３（Ｅ）に示すような指示体検出出力（相関値）Ｉｍｉｘが得られる。また、ペンの指示体１８の指示入力点が、図４３（Ｂ）のように、２本の受信導体１２Ｘｍ，１２Ｘｍ＋１のうち、受信導体１２Ｘｍ＋１側に近い場合にも、図４３（Ｆ）に示すような指示体検出出力（相関値）Ｉｍｉｘが得られる。
【手続補正３７】
【補正対象書類名】明細書
【補正対象項目名】０４６７
【補正方法】変更
【補正の内容】
【０４６７】
なお、この第５の実施の形態における受信部３００においては、受信導体選択回路３１´のスイッチ回路３１０１´〜３１１６´のそれぞれは、図４６に示すように、それぞれ２本ずつの受信導体を選択するようなスイッチ回路の構成となる。そして、スイッチ回路３１０１´〜３１１６´のそれぞれは、２本ずつの受信導体を、１本ずつずらして選択する。すなわち、スイッチ回路３１０１´〜３１１６´のそれぞれは、２本の受信導体１２Ｘｍ，１２Ｘｍ＋１の次には、２本の受信導体１２Ｘｍ＋１，１２Ｘｍ＋２、その次には、２本の受信導体１２Ｘｍ＋２，１２Ｘｍ＋３、というように、１本ずつずらして切り替えるようにする。
【手続補正３８】
【補正対象書類名】明細書
【補正対象項目名】０４７９
【補正方法】変更
【補正の内容】
【０４７９】
図４８に示すように、この例の増幅回路５１０は、Ｉ／Ｖ変換回路５１１と、利得調整回路５１２と、利得値設定回路５１３を備える。Ｉ／Ｖ変換回路５１１は、上述したＩ／Ｖ変換回路３２０１〜３２１６と同様の構成を有するものであり、この例では、このＩ／Ｖ変換回路５１１の出力端は、利得調整回路５１２の入力端に接続されている。
【手続補正３９】
【補正対象書類名】明細書
【補正対象項目名】０４８６
【補正方法】変更
【補正の内容】
【０４８６】
自乗乗算器５１４１は、Ａ／Ｄ変換回路３３の出力信号を自乗演算し、演算後の自乗演算出力信号を積分器５１４２に出力する。積分器５１４２は、自乗乗算器５１４１からの自乗演算出力信号を時間的に積分し、その積分出力信号を絶対値検波出力として得る。そして、積分器５１４２は、その積分出力信号を自動利得制御回路５１５に供給する。
【手続補正４０】
【補正対象書類名】図面
【補正対象項目名】図１４
【補正方法】変更
【補正の内容】
【図１４】
2011209785.tif 000001
【手続補正４１】
【補正対象書類名】図面
【補正対象項目名】図１８
【補正方法】変更
【補正の内容】
【図１８】
2011209785.tif 000002
【手続補正４２】
【補正対象書類名】図面
【補正対象項目名】図２８
【補正方法】変更
【補正の内容】
【図２８】
2011209785.tif 000003
【手続補正４３】
【補正対象書類名】図面
【補正対象項目名】図３０
【補正方法】変更
【補正の内容】
【図３０】
2011209785.tif 000004
【手続補正４４】
【補正対象書類名】図面
【補正対象項目名】図３４
【補正方法】変更
【補正の内容】
【図３４】
2011209785.tif 000005
【手続補正４５】
【補正対象書類名】図面
【補正対象項目名】図４０
【補正方法】変更
【補正の内容】
【図４０】
2011209785.tif 000006
【手続補正４６】
【補正対象書類名】図面
【補正対象項目名】図４２
【補正方法】変更
【補正の内容】
【図４２】
2011209785.tif 000007
【手続補正４７】
【補正対象書類名】図面
【補正対象項目名】図５０
【補正方法】変更
【補正の内容】
【図５０】
2011209785.tif 000008